(57)【要約】      （修正有）【課題】商品を自動販売する販売機で、商品の販売数に対して景品の当たり確率を設定して当たりを発生し、ユーザーが当たり景品の獲得に興味を抱く手段とユーザーに人気の種々の商品を販売商品にして、自動販売を容易にし、景品が当たる自動販売機を提供する。【解決手段】商品販売時に一定の商品販売数に対して当たりの確率を設定し、当たりを発生して景品を提供する自動販売機で、販売商品の展示と景品の展示で、当たり景品の獲得に興味を持ち、販売促進を目途して当たり確立を設定し、購入者に人気の商品をカプセルに入れて外形を同じくする。販売機の商品販売管理で初期設定商品販売数に対して、景品を提供する確率を設定し、商品の購入で景品引き当ての抽選をする。景品引き当ての抽選で、当たりが発生した場合は、購入の商品と当たりの景品が提供される。当たりの景品は景品陳列室に陳列展示されて有り、景品陳列室の扉を自動で開錠してユーザーへ提供される。【選択図】図１
0003173239.tif 000002
【実用新案登録請求の範囲】
【請求項１】
販売機の展示部へ商品を展示して販売する自動販売機において、形の異なる商品を定型の容器に入れ外形を揃えて、種々の商品を自動販売、導出を容易にする手段と、一括展示する商品の展示数量を多、中、少などの規定値を設け、該規定値で選択設定する手段と、商品の販売払い出し数を計数記憶する手段と、販売数と商品展示規定値情報で、商品を補充して展示商品数を管理し、更に展示規定値をプログラムで変更する手段を備えた事を特徴とした、カプセル自動販売機。
【請求項２】
販売機の商品販売数量に対して確率を設定し、該確率で販売商品数に対して当たりを発生する手段と、該当たりの発生で、景品を陳列する、景品陳列室扉の錠を自動で開錠し、景品を提供する手段を備えた請求項１のカプセル自動販売機。
【請求項３】
商品の販売数に対する確率を設定して当たりで景品を提供する販売機の、商品展示部に展示している商品の展示数と、景品陳列室に陳列中の景品数とで残りの当たり確率を類推出来ない商品の補充管理手段と、初期設定商品販売数の販売完了と初期陳列分の景品を当たりで提供完了を一致させる確率管理手段を特徴とする請求項１または２記載のカプセル自動販売機。
【請求項４】
商品の販売数に対する当たりで提供される景品を景品陳列室毎でランク分けし、当たりが発生した景品の提供は同位ランクの景品陳列室でランダムに選択し、当たり景品を景品陳列室の開錠でユーザー提供する手段と、景品の当たりは販売商品の設定商品販売数に確率を設定し、設定の商品販売数内で分散して当たりが発生する手段を特徴とする請求項１または２記載のカプセル自動販売機。
【請求項５】
販売機の商品展示室、景品陳列室や販売機内外の電飾など、ＬＥＤ照明を可能にする電源部を具備して特徴とする請求項１のカプセル自動販売機。
【考案の詳細な説明】
【技術分野】
【０００１】  本考案は、キャラクター、グッズ等を販売する販売機に於いて、商品をカプセルに入れて形を一定にして販売の機械化を容易にし、商品販売数の計数と商品の販売で抽選して景品が当たるカプセル商品自動販売機に関するものである。
【背景技術】
【０００２】  従来、自動販売機の商品売れ行きを良くする為に、商品販売時にルーレットなどのゲームを提供する、いわゆる当たり装置付き自動販売機が知られている。この様な自動販売機としては、例えば、商品の販売時に対応したゲームを提供するもの、品種ごとに当たり確率を設定して置き、当たり信号によりその商品を景品として出すもの、あるいは商品の連続販売時に、連続販売数に応じた当たり確立を設定する、ゲームの当たり回数により当たり確立を設定するものなどがある。また、ゲームは提供しないが、所定の販売商品に対して所定のおまけ商品を送出する自動販売機も知られている。
【先行技術文献】
【特許文献】
【０００３】
【特許文献１】  特開平７−５７１４５号
【特許文献２】  特開平９−２５９３３６号
【特許文献３】  特開２００１−８４４３７号
【考案の概要】
【考案が解決しようとする課題】
【０００４】  自動販売機のユーザーが求める商品キャラクター、グッズなどの販売を良くする為に、種々の商品を自動販売機で扱い易く定型化する。商品販売時にくじ引きをして、当たりを発生し、当たりの景品を提供する自動販売機。当たり景品は販売機に陳列してユーザーに表示し、景品を獲得できる確率の予想で期待を高める。商品の初期設定商品販売数に対して設定陳列景品を提供する当たり確率を分散して景品を提供する。商品の初期設定商品販売数を販売し終える所で、景品の設定陳列景品の提供も提供を完了する。販売機の機内データーは、初期設定商品販売数に対しての販売数カウントと、設定陳列景品の何ランク景品が提供残りかデーター管理をする。商品の展示数量は何段階かの管理規定数を設け商品の販売で規定数量以下に成った場合は、管理規定数量まで増量する。商品展示数量と景品の未提供陳列分で、残り確率を解り辛く期待度の高い展示にする。景品の陳列室を悪戯防止で、センサー監視をして防犯の対策をする。販売機の電飾や照明などを有色ＬＥＤ等の省電力仕様の電源で省電力の自動販売機を提供する事にある。
【課題を解決するための手段】
【０００５】  販売機の展示部へ商品を展示販売する自動販売機で、種々異形な商品の場合も定型の形状容器で外形を揃え、販売商品の落下導出で自動機での商品の自動販売を容易にする。商品展示部へ展示する商品の数量を何段階かの規定値で設け、該規定数量値を選択設定可能にする。商品の販売数を計数して記憶した販売数情報と、商品展示数量から商品販売で減数した数量を規定の展示商品数量へ増量管理する。更に商品展示の規定値を変更するプログラムを備え、商品の展示数を販売途中で変更する設定を可能とする。【０００６】  販売機の商品販売管理で設定の販売数に対して、景品を提供する確率を設定し、商品の購入でくじ引きをする手段で、商品販売での、当たりを発生し、当たりに成った場合は、景品をユーザーへ提供する。当たり景品の提供は、当たりに成った景品陳列室の、景品陳列室扉を開錠してユーザーへ景品を提供する。【０００７】  商品販売管理の商品展示規定数に対して現在販売数と当たり数とで景品払い出し数を管理し、商品展示室に展示する現在商品数と、景品陳列室に陳列する現在景品数は残りの当たり確率を目測で曖昧にする別途な管理の商品展示規定数量の展示とする。初期設定商品販売数の販売終了と、初期陳列景品を全数提供完了は何れも終了時点でほぼ一致する、商品販売管理手段の自動販売機を提供する。【０００８】  商品の販売でくじ引き抽選をして、当たりの場合は景品陳列室に陳列する景品が提供される。くじ引きの当たりで提供される景品は、景品陳列室をランク分けして当たりを発生させ、同位ランクの景品陳列室は乱数順で順番性無く開錠して景品を提供する。景品の当たりは初期設定商品販売数を販売する全数内に当たりが分散する設定にする。【０００９】  景品の陳列室にセンサーを備えて悪戯防止のセンサー監視をして防犯の対策をする。自動販売機の電飾や照明をＬＥＤ、低電力機器の使用を目途に電源部を設定して、商品展示室、景品陳列室など、ＬＥＤ照明を可能にする電源を備えて、省電力の自動販売機を提供する。
【考案の効果】
【００１０】  種々異形な商品で有っても定型のカプセル容器などで外形を揃えて、商品の導出を落下導出手段で可能にする。商品展示部へ展示する商品展示数を何段階か規定値で設け、商品展示で見かけ上の商品の売れ具合で販促表現できる。商品の販売数を計数して記憶した販売数情報と、商品展示の規定値情報と、商品展示規定値の変更プログラム等と、制御手段で補充ホッパーが駆動され、設定の商品展示規定値に数値管理展示される。【００１１】  販売機の商品販売管理で初期設定商品販売数に対して、景品を提供する確率を設定し、商品の購入で景品引き当ての抽選をする。景品引き当ての抽選で、当たりが発生した場合は、購入の商品と当たりの景品が提供される。当たりの景品は景品陳列室に陳列展示されて有り、景品陳列室の扉を自動で開錠してユーザーへ提供される。【００１２】  商品販売管理の初期設定商品販売数に対して現在販売数と当たり景品払い出し数をデーター管理し、現在商品の展示数と、景品陳列室に展示する現在景品数は別途管理の展示数値で管理をする。ユーザーが展示の商品数や陳列の景品数で行う目測の当たり確率を曖昧にする商品補充の展示が可能な販売促進管理手段である。初期設定の商品販売数の販売終了と、初期陳列景品の全数提供完了を設定の数で何れも終了時点でほぼ一致させ、全体での景品当たり確率としては、安定的な当たりを生じさせる確率の商品販売管理手段の自動販売機である。【００１３】  当たりで提供される景品を景品陳列室毎にランク分けして、当たりの発生で景品の同じランクの景品陳列室毎で乱数的ランダムに選択し、当たり景品を景品陳列室の開錠でユーザー提供して、規律性の無い演出で当たり景品をユーザー提供出来る。景品の当たりは販売商品の設定販売数で確率設定し、商品の販売数内に於いて、分散した当たりが発生する手段で確率を予測出来ない公平感のある景品提供が出来る。【００１４】  販売機の電源部に低電圧、低電力仕様の電源を備え、電飾や照明等にＬＥＤなど低電力機器、器具の使用を可能にした低消費電力の自動販売機が提供出来る。
【図面の簡単な説明】
【００１５】
【図１】本考案の一実施例カプセル自動販売機の正面図である。
【図２】図１のカプセル自動販売機の側面図である。
【図３】図１カプセル自動販売機のカプセル払い出し部分の正断面図である。
【図４】図３のカプセル自動販売機のカプセル払い出し、景品陳列室部分の側断面図である。
【図５】本考案の実施例カプセル自動販売機のブロック図である。
【考案を実施するための形態】
【００１６】本考案は、販売機の展示部へ商品を展示して販売する自動販売機で、形の異なる商品をカプセル容器に入れて外形、大きさを揃え、種々の商品を自動販売機で、自動導出を容易にする。商品の展示数量を多、中、少など規定値で設け、サービスマンの設定で選択設定する。商品の販売払い出し数をカウントし、記憶した販売数データーと商品の展示数量を多、中、少など、規定値で設定したプログラム値とで、商品の補充をして自動数量管理する。商品販売の初期設定商品販売数に対して景品の当たり確率を設定し、販売商品数に対する景品の当たりを発生させる。当たりの発生で、景品を陳列する景品陳列室扉の錠を自動で開錠して、当たりの景品をユーザーに提供する。展示する商品の展示数は多、中、少、などの規定値で管理され、設定の規定値で展示される商品と景品陳列室に陳列して当たりに引き当てられる景品とで、確率の予想類推を難しくした構成である。しかし当たりで提供する景品の初期陳列分の全景品提供と、商品予定販売数の、初期設定商品販売数の販売を終える時点はプログラムでほぼ同時に終了の管理とする。商品販売の当たりで提供する景品の景品陳列室をランクで分け、景品の当たりが生じて、当たりの景品ランクに景品が複数個用意されている場合、ランク内景品を乱数でランダムに選択し、景品の景品陳列室を自動で開錠して景品をユーザーに提供する。当たりは販売商品の初期設定商品販売数に分散して発生する制御手段である。自動販売機の電源に低電圧、省電力の端子部を設けて、商品展示室、景品陳列室などの電飾、照明を省電力仕様に成した自動販売機を提供する。
【実施例】
【００１７】  以下、本考案を図面に示した実施例により説明する。「図１」、「図２」、「図３」、「図４」、「図５」、に本考案の一実施例を示した。実施例のカプセル自動販売機１は、「図１」、「図２」、「図３」、「図４」ないし「図５」、に示す形態で、自動販売機が設置場に設置されて電源がＯＮしている状態では、カプセル自動販売機１による、カプセル販売の案内など、音声や電飾ディスプレーなど案内表示してスタンバイする。【００１８】  カプセル自動販売機１は所謂、カプセル入り商品の自動販売機で販売機本体２の商品の展示室８の上に、販売商品を保管する商品保管室３が設えてある。販売商品のカプセル入り商品は商品展示窓７から見える展示室８に盛り展示して自動販売される。ユーザーが購入口１５に所定の金額を投入して、商品を購入した場合は、商品が販売ホッパー９で送出路１１へ送出される。商品が送出された場合は販売センサー１０で送出が確認されて、送出路１１を通過して商品出し口１２へ送出、ユーザーは商品口扉１３を開けて商品を取り出す。ユーザーが商品購入でスタートスイッチ１４を操作し、景品当てのプログラムで当たり外れの抽選をして外れはその表示、当たりの場合は、当たりの景品同ランクで景品陳列室１７に有る景品の内からランダムに選ばれる。選ばれた景品は、その景品陳列室１７の錠を開錠して、ユーザーへ景品を提供する手段である。展示室８内の展示商品が販売によって少なく成った場合、予め設定の商品展示規定値で管理し、補充ホッパー５によって商品カプセルが補充される。商品保管室３への商品補充は商品補充扉４の保管室キー６を開けて、サービスマンが行う。【００１９】  カプセル自動販売機１は、大小、長短など形の異なる商品をカプセル容器に入れて外形、大きさを揃え、種々の品々を自動販売で可能にし、商品販売で抽選をし、展示する景品を当たりで提供する自動販売機である。サービスマンが販売機本体２の保管室キー６を開錠して商品補充扉４を開き商品保管室３に商品を満たす。サービスマンは商品展示規定値の設定操作で商品の展示室８へ初期の設定でカプセルを規定値数、補充ホッパー５で送り商品展示窓７からカプセルの展示状態を確認する。電子キーの景品キー１６を開錠して景品陳列室１７へ景品を入れて陳列し、施錠する。景品ロッカー２１も同様に、電子キーのロッカーキー２３を開錠してロッカー陳列室２２へ景品を陳列して施錠スタンバイする。ユーザーが購入口１５に所定の金額を投入して、商品を購入した場合、商品が販売ホッパー９で送出路１１へ送出され、販売センサー１０がカプセルの通過、販売送出を確認する。商品出し口１２へ送出されたカプセル商品は商品口扉１３を開けて取り出される。ユーザーが商品購入でスタートスイッチ１４を操作し、景品当てのプログラムで当たり外れの抽選をして外れはその表示、当たりの場合は、景品出し番乱数の働きで、当たり景品のランクに有る景品を乱数でランダムに選び、当たり景品の景品陳列室１７やロッカー陳列室２２の景品キー１６またはロッカーキー２３を開錠して、景品を提供する構成である。商品展示の規定数は多、中、少などの数値で設け、プログラムで一定の数値で管理、または設定条件で展示数を変更するなどを可能にする。何れの設定に依るも、初期設定商品販売数の販売完了と初期陳列分の景品当たり引き当て完了を一致させる管理プログラムを具備する。景品の陳列室に景品センサー１８、扉センサー１９を備えて悪戯防止のセンサー監視をし、防犯の対策をする。電源部にＬＥＤランプ用端子を備え、省電力とする。
【産業上の利用可能性】
【００２０】  種々異形な商品も定型のカプセル容器で外形を揃え、商品の落下導出を可能にする。商品展示数量を何段階かに分けた規定値で設け、見かけ上の商品展示在庫数で景品当たりが高率の予想を演出できる。販売機の商品販売管理で設定の販売数に対して、設定数の景品を提供する確率設定で、設定の商品数販売と用意設定した景品を初期設定商品販売数に分散して当たり頻度を生じさせ、当たりの確率が購入頻度に平均的に発生する期待感に沿う当たりを発生させる。商品を購入する事でくじを引く、当たりで景品がユーザーへ提供され、景品提供は、景品が陳列された景品陳列室の、景品陳列室扉を開錠して行う。商品販売管理の販売設定数に対し、現在の販売数管理と現在払い出しに引き当てる景品のグループ及び陳列数をデーター管理し、商品の初期設定商品販売数を販売終了時に、初期に陳列した景品が全数提供される確率管理をし、偏らない当たり感覚の自動販売機を提供出来る。販売機の電源部に低電圧、低電力仕様の電源を備えて、電飾や照明等にＬＥＤなど低電力機器、器具の使用を可能にし、消費電力の少ない自動販売機が提供出来る。
【符号の説明】
【００２１】  １    カプセル自動販売機
２    販売機本体
３    商品保管室
４    商品補充扉
５    補充ホッパー
６    保管室キー
７    商品展示窓
８    展示室
９    販売ホッパー
１０    販売センサー
１１    送出路
１２    商品出し口
１３    商品口扉
１４    スタートスイッチ
１５    購入口
１６    景品キー
１７    景品陳列室
１８    景品センサー
１９    扉センサー
２０    取手
２１    景品ロッカー
２２    ロッカー陳列室
２３    ロッカーキー
【図１】
0003173239.tif 000003
【図２】
0003173239.tif 000004
【図３】
0003173239.tif 000005
【図４】
0003173239.tif 000006
【図５】
0003173239.tif 000007
【手続補正書】
【提出日】平成23年11月2日(2011.11.2)
【手続補正１】
【補正対象書類名】実用新案登録請求の範囲
【補正対象項目名】全文
【補正方法】変更
【補正の内容】
【実用新案登録請求の範囲】
【請求項１】
販売機の展示部へ商品を展示して販売する自動販売機において、形の異なる商品を入れる定型の容器で、商品の自動販売、導出でつかえない容器と、展示商品数を多、中、少の規定値で管理し、販売払い出し数を記憶する記憶装置と、更に規定値を変更して展示商品を、ホッパー補給口の開閉で補充管理するカプセル自動販売機。
【請求項２】
確率を設定し、販売数に対して当たりを発生し、景品を陳列する、景品陳列室扉の錠を自動開錠、景品提供する制御の陳列室を備えた請求項１のカプセル自動販売機。
【請求項３】
展示部商品の数と、陳列景品の数を当たりの割合と異なる展示管理で制御する制御装置と、商品販売完了と景品の当たり完了をほぼ一致させる数値管理の制御装置を特徴とする請求項１または２記載のカプセル自動販売機。
【請求項４】
商品の販売に対する当たりで提供される景品を景品陳列室毎のランク分けと、当たりの景品を同位ランクの景品陳列室間でランダムに提供を制御管理する景品陳列室と、景品の当たりを商品販売数内で分散して発生させる制御装置を特徴とする請求項１または２記載のカプセル自動販売機。
【請求項５】
販売機の商品展示室、景品陳列室や販売機内外の電飾など、ＬＥＤ照明を可能にする電源部を具備して特徴とする請求項１のカプセル自動販売機。